(57)【要約】【課題】バッテリーポストに対する締結力を適正に確保することができるバッテリー端子を提供することを目的とする。【解決手段】バッテリー端子１は、バッテリーポストが挿入される本体部２０と、一対の締付当接部３１を有する締付部３０とを備え、本体部は、締付方向Ｙの少なくとも一方の端部に形成され一対の締付当接部３１の一方を収容し位置決めする切り欠き部２０ｎ、２０ｏを有し、締付当接部３１側の当接部側対向面３２と切り欠き部２０ｎ、２０ｏ側の切り欠き部側対向面２３とは、それぞれ当接面４０、４１が形成されると共に、少なくとも一方に他方との間に隙間をあけて逃げ空間部４２を形成する逃げ面４３が形成される。【選択図】図５
2018045761.tif 000002
【特許請求の範囲】
【請求項１】
バッテリーポストが挿入されるポスト挿入孔、及び、当該ポスト挿入孔と連続するスリットが形成された本体部と、
前記バッテリーポストの軸方向と交差する方向であって、前記スリットを横断する方向である締付方向に沿って前記スリットを挟んで当該締付方向の両側から前記本体部に当接し当該本体部を締め付ける一対の締付当接部を有する締付部とを備え、
前記本体部は、前記締付方向の少なくとも一方の端部に形成され前記一対の締付当接部の一方を収容し位置決めする切り欠き部を有し、
前記締付当接部と前記切り欠き部とは、当該締付当接部が前記切り欠き部内に収容され位置決めされた状態で、前記締付当接部側の当接部側対向面と前記切り欠き部側の切り欠き部側対向面とが前記軸方向、及び、前記締付方向と交差する対向方向に対して対向し、
前記当接部側対向面と前記切り欠き部側対向面とは、当該締付当接部が前記切り欠き部内に収容され位置決めされた状態で、前記対向方向に対して前記切り欠き部側対向面が前記当接部側対向面の前記ポスト挿入孔側に位置して対向し、それぞれ相互に当接可能な当接面が形成されると共に、少なくとも一方に、前記締付方向に対して前記当接面の前記スリットとは反対側で他方との間に隙間をあけて逃げ空間部を形成する逃げ面が形成されることを特徴とする、
バッテリー端子。
【請求項２】
前記締付部は、前記締付方向に沿って、前記本体部の一端部から前記スリットを挟んで前記本体部の他端部まで延在して前記本体部に設けられる貫通部材を有し、
前記一対の締付当接部の一方は、前記貫通部材の一方の端部に設けられる、
請求項１に記載のバッテリー端子。
【請求項３】
前記切り欠き部は、前記本体部の前記締付方向の両側の端部にそれぞれ形成され、
前記逃げ面は、各前記切り欠き部の前記切り欠き部側対向面にそれぞれ形成される、
請求項１又は請求項２に記載のバッテリー端子。
【発明の詳細な説明】
【技術分野】
【０００１】
本発明は、バッテリー端子に関する。
【背景技術】
【０００２】
従来のバッテリー端子として、例えば、特許文献１には、バッテリー本体に立設されたバッテリーポストに外嵌されて接続されるポスト抱持部、ポスト抱持部とは別体に形成されて電線が接続される電線接続部、及び、電線接続部をポスト抱持部に対して回動可能に連結する回動連結部を含んで構成されるターミナル本体を備えるバッテリーターミナルが開示されている。
【先行技術文献】
【特許文献】
【０００３】
【特許文献１】特開２０１１−１３４５１９号公報
【発明の概要】
【発明が解決しようとする課題】
【０００４】
ところで、上述の特許文献１に記載のバッテリーターミナルは、例えば、バッテリーポストに対する締結力の点で更なる改善の余地がある。
【０００５】
本発明は、上記の事情に鑑みてなされたものであって、バッテリーポストに対する締結力を適正に確保することができるバッテリー端子を提供することを目的とする。
【課題を解決するための手段】
【０００６】
上記目的を達成するために、本発明に係るバッテリー端子は、バッテリーポストが挿入されるポスト挿入孔、及び、当該ポスト挿入孔と連続するスリットが形成された本体部と、前記バッテリーポストの軸方向と交差する方向であって、前記スリットを横断する方向である締付方向に沿って前記スリットを挟んで当該締付方向の両側から前記本体部に当接し当該本体部を締め付ける一対の締付当接部を有する締付部とを備え、前記本体部は、前記締付方向の少なくとも一方の端部に形成され前記一対の締付当接部の一方を収容し位置決めする切り欠き部を有し、前記締付当接部と前記切り欠き部とは、当該締付当接部が前記切り欠き部内に収容され位置決めされた状態で、前記締付当接部側の当接部側対向面と前記切り欠き部側の切り欠き部側対向面とが前記軸方向、及び、前記締付方向と交差する対向方向に対して対向し、前記当接部側対向面と前記切り欠き部側対向面とは、当該締付当接部が前記切り欠き部内に収容され位置決めされた状態で、前記対向方向に対して前記切り欠き部側対向面が前記当接部側対向面の前記ポスト挿入孔側に位置して対向し、それぞれ相互に当接可能な当接面が形成されると共に、少なくとも一方に、前記締付方向に対して前記当接面の前記スリットとは反対側で他方との間に隙間をあけて逃げ空間部を形成する逃げ面が形成されることを特徴とする。
【０００７】
また、上記バッテリー端子では、前記締付部は、前記締付方向に沿って、前記本体部の一端部から前記スリットを挟んで前記本体部の他端部まで延在して前記本体部に設けられる貫通部材を有し、前記一対の締付当接部の一方は、前記貫通部材の一方の端部に設けられるものとすることができる。
【０００８】
また、上記バッテリー端子では、前記切り欠き部は、前記本体部の前記締付方向の両側の端部にそれぞれ形成され、前記逃げ面は、各前記切り欠き部の前記切り欠き部側対向面にそれぞれ形成されるものとすることができる。
【発明の効果】
【０００９】
本発明に係るバッテリー端子は、本体部に形成されたポスト挿入孔にバッテリーポストが挿入された状態で、本体部が締付部の一対の締付当接部によってスリットを挟んで締付方向の両側から締め付けられることで、本体部をバッテリーポストに対して締結することができる。このとき、バッテリー端子は、本体部に形成された切り欠き部と締付当接部との切り欠き部側対向面、当接部側対向面において、当接面が形成されると共に少なくとも一方に他方との間に隙間をあけて逃げ空間部を形成する逃げ面が形成されているので、一対の締付当接部によって本体部を締め付けた際に当該本体部が変形しても当該本体部と締付当接部とが干渉することを抑制することができる。この結果、バッテリー端子は、本体部と締付当接部とが干渉することによって一対の締付当接部による本体部の締め付け力が低下することを抑制することができるので、バッテリーポストに対する締結力を適正に確保することができる、という効果を奏する。
【図面の簡単な説明】
【００１０】
【図１】図１は、実施形態に係るバッテリー端子の概略構成を表す分解斜視図である。
【図２】図２は、実施形態に係るバッテリー端子の概略構成を表す斜視図である。
【図３】図３は、実施形態に係るバッテリー端子の概略構成を表す側面図である。
【図４】図４は、実施形態に係るバッテリー端子の概略構成を表す背面図である。
【図５】図５は、実施形態に係るバッテリー端子の逃げ面を含む部分平面図である。
【図６】図６は、変形例に係るバッテリー端子の逃げ面を含む部分平面図である。
【図７】図７は、変形例に係るバッテリー端子の逃げ面を含む部分平面図である。
【発明を実施するための形態】
【００１１】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。
【００１２】
［実施形態］
【００１３】
図１〜図４に示す本実施形態に係るバッテリー端子１は、バッテリー５０のバッテリーポスト５１に組み付けられるものである。バッテリー端子１は、バッテリーポスト５１に組み付けられることにより、バッテリー５０と、接続端子５２等とを電気的に接続するための部品である。バッテリー５０は、車両等に蓄電装置として搭載されるものである。バッテリー５０は、バッテリー液や当該バッテリー５０を構成する種々の部品を収容するバッテリー筐体５３の１つの面、典型的には、バッテリー５０を車両に搭載した状態で鉛直方向上側に位置する面にバッテリーポスト５１が立設される。バッテリーポスト５１は、バッテリー筐体５３の鉛直方向上側の面から鉛直方向上側に向けて突出する。バッテリーポスト５１は、円柱状、より詳細には、先端側に進むにつれて径が小さくなるようテーパが付けられた円柱状（あるいは、円筒状）に形成される。つまり、バッテリーポスト５１は、先端の外径が基端の外径より小さいテーパ形状となる。バッテリーポスト５１は、中心軸線Ｃが鉛直方向に沿うように配置される。バッテリー端子１は、このように構成されるバッテリーポスト５１に締結される。また、接続端子５２は、このバッテリー５０が搭載される車両等の本体側の電線の末端に設けられた接続相手部材である。
【００１４】
なお、以下の説明では、バッテリーポスト５１の中心軸線Ｃに沿った方向を軸方向Ｘという。またここでは、以下の説明を分かり易くするために、便宜的に当該軸方向Ｘと直交する２方向のうち一方を第１幅方向Ｙといい、他方を第２幅方向Ｚという。第１幅方向Ｙは、後述する締付方向に相当し、第２幅方向Ｚは、後述する対向方向に相当する。これら軸方向Ｘ、第１幅方向Ｙ、及び、第２幅方向Ｚは互いに直交する。
【００１５】
具体的には、バッテリー端子１は、接続部材としてのスタッドボルト１０と、本体部２０と、締付部３０とを備える。
【００１６】
スタッドボルト１０は、接続端子５２が接続される軸部１０ａと、軸部１０ａの一端に設けられた基部としてのボルト頭部１０ｂ（特に図４参照）とを含んで構成される。軸部１０ａは、円柱状に形成されると共に外周面に螺合溝が形成されている。ボルト頭部１０ｂは、軸部１０ａが立設される台座部分である。ボルト頭部１０ｂは、軸部１０ａより大径の部分として形成され、ここでは、略六角形状に形成される。
【００１７】
本体部２０は、バッテリーポスト５１に締結されるポスト締結部２１と、ポスト締結部２１に接続されスタッドボルト１０を保持する接続部材保持部としてのボルト保持部２２とを備える。本体部２０は、例えば、導電性を有する金属板のプレス折り曲げ加工等により、ポスト締結部２１を構成する一対の環状部２０ａ、２０ｂ、ボルト保持部２２を構成する一対の保持板状部２０ｃ、２０ｄ、及び、屈曲連結部２０ｅが一体で形成される。
【００１８】
一対の環状部２０ａ、２０ｂは、略矩形環状に形成され、それぞれバッテリーポスト５１が挿入される略円形状のポスト挿入孔２０ｆ、２０ｇ、及び、ポスト挿入孔２０ｆ、２０ｇと連続するスリット（間隙）２０ｈ、２０ｉが形成される。
【００１９】
一対の保持板状部２０ｃ、２０ｄは、略矩形状に形成され、保持板状部２０ｃ側にスタッドボルト１０の軸部１０ａが挿入される略円形状のボルト挿入孔２０ｊが形成される。保持板状部２０ｃは、環状部２０ａと連続するように一体で形成され、保持板状部２０ｄは、環状部２０ｂと連続するように一体で形成される。
【００２０】
そして、環状部２０ａと環状部２０ｂとは、それぞれ保持板状部２０ｃ、２０ｄが設けられている端部とは反対側の端部同士が屈曲連結部２０ｅを介して連続するように一体で形成される。これにより、本体部２０は、屈曲連結部２０ｅを挟んで、Ｕターン状に折り返された状態に形成され、環状部２０ａ、保持板状部２０ｃと環状部２０ｂ、保持板状部２０ｄとが軸方向Ｘに対向しそれぞれ上下に略平行に板状に積層された状態となるように形成される。
【００２１】
なお、ここで、上下に積層された状態とは、典型的には、バッテリー端子１がバッテリーポスト５１に組み付けられた状態で、バッテリーポスト５１の軸方向Ｘに沿って積層されるような状態に相当する。また、積層方向は、典型的には、バッテリー端子１がバッテリーポスト５１に組み付けられた状態で、軸方向Ｘに沿った方向であり、ここではスタッドボルト１０の軸部１０ａが突出する側を積層方向上側、反対側を積層方向下側とする。また、積層方向上側とは、バッテリーポスト５１の先端側に相当し、積層方向下側とは、バッテリーポスト５１の基端側に相当する。ここでは、本体部２０は、環状部２０ａ、保持板状部２０ｃが積層方向上側、環状部２０ｂ、保持板状部２０ｄが積層方向下側となる。
【００２２】
一対の環状部２０ａ、２０ｂは、屈曲連結部２０ｅを介して上下に積層された状態でポスト挿入孔２０ｆとポスト挿入孔２０ｇとが積層方向に対向する位置関係となるように当該ポスト挿入孔２０ｆ、ポスト挿入孔２０ｇが形成される。ポスト挿入孔２０ｆ、ポスト挿入孔２０ｇは、板金が同一の方向、ここでは下側に折り返されることでそれぞれ内周壁面が形成される。ポスト挿入孔２０ｆ、ポスト挿入孔２０ｇは、それぞれの内周壁面に上述したバッテリーポスト５１のテーパに対応したテーパを有している。ここでは、ポスト挿入孔２０ｆとポスト挿入孔２０ｇとのうちスタッドボルト１０の軸部１０ａが突出する側、すなわち、ポスト挿入孔２０ｆ側の内径が最小となり、反対側のポスト挿入孔２０ｇ側の内径が最大となる。ポスト挿入孔２０ｆ、ポスト挿入孔２０ｇは、バッテリーポスト５１が挿入された状態で、各内周面がバッテリーポスト５１と接触する。また、一対の環状部２０ａ、２０ｂは、屈曲連結部２０ｅと一対の保持板状部２０ｃ、２０ｄとの間の縁部が互いに向けて折り返されており、凹凸上に形成された互いの折り返し部２０ｋ、２０ｌが相互に係合する。
【００２３】
また、一対の環状部２０ａ、２０ｂは、屈曲連結部２０ｅを介して上下に積層された状態でスリット２０ｈとスリット２０ｉとが積層方向に対向する位置関係となるように当該スリット２０ｈ、スリット２０ｉが形成される。スリット２０ｈ、スリット２０ｉは、屈曲連結部２０ｅにて連続しており、全体として屈曲連結部２０ｅ及び環状部２０ａ、２０ｂにおいて、当該屈曲連結部２０ｅからポスト挿入孔２０ｆ、ポスト挿入孔２０ｇまで延在している。言い換えれば、スリット２０ｈ、２０ｉは、ポスト挿入孔２０ｆ、２０ｇから環状部２０ａ、２０ｂの一部を分断するようにして屈曲連結部２０ｅまで延在して形成される。さらに、一対の環状部２０ａ、２０ｂは、それぞれポスト挿入孔２０ｆ、２０ｇから屈曲連結部２０ｅまでの間の部分が後述の締付部３０によって締め付けられる締付端部２０ｍを構成する。スリット２０ｈ、２０ｉは、この締付端部２０ｍを第２幅方向Ｚに沿ってポスト挿入孔２０ｆ、２０ｇから屈曲連結部２０ｅまで貫通する。締付端部２０ｍは、第１幅方向Ｙの両側の端部に、それぞれ締付部３０の一部が嵌合する略矩形状の切り欠き部２０ｎ、２０ｏが形成されている。
【００２４】
一対の保持板状部２０ｃ、２０ｄは、折り曲げ加工の前に事前にボルト挿入孔２０ｊにスタッドボルト１０の軸部１０ａが挿入された状態で折り曲げ加工されることで、屈曲連結部２０ｅを介して上下に積層された状態で当該スタッドボルト１０を保持する。ここでは、保持板状部２０ｃは、スタッドボルト１０の軸部１０ａが貫通する貫通孔としてのボルト挿入孔２０ｊが形成された上板を構成し、保持板状部２０ｄは、上板である保持板状部２０ｃと積層方向（軸方向Ｘ）に対向し保持板状部２０ｄとの間にスタッドボルト１０のボルト頭部１０ｂを保持する下板を構成する。つまり、一対の保持板状部２０ｃ、及び、保持板状部２０ｄは、互いに対向して積層され互いの間にボルト頭部１０ｂを保持する。より詳細には、保持板状部２０ｃ、保持板状部２０ｄとは、互いに向けて折り返された折り返し部２０ｐ、２０ｑを有する。折り返し部２０ｐは、保持板状部２０ｃにおいて第１幅方向Ｙ両側の端部が保持板状部２０ｄ側に折り返された部分である。折り返し部２０ｑは、保持板状部２０ｄにおいて、第１幅方向Ｙ両側の端部の一部、及び、第２幅方向Ｚの先端部（環状部２０ｂ側とは反対側の端部）が保持板状部２０ｃ側に折り返された部分である（特に図４等参照）。各折り返し部２０ｑは、略六角形状に形成されるボルト頭部１０ｂの三辺の端面を囲うように折り返されて形成される。各折り返し部２０ｐは、第１幅方向Ｙに対して各折り返し部２０ｑの外側に位置する。そして、保持板状部２０ｃは、各折り返し部２０ｐの先端部の一部から爪部２０ｒが突出すると共に当該爪部２０ｒが保持板状部２０ｄの背面側（ボルト頭部１０ｂを保持する側とは反対側）に折り返されている（特に図４等参照）。保持板状部２０ｃ、２０ｄによって構成されるボルト保持部２２は、ボルト挿入孔２０ｊにスタッドボルト１０の軸部１０ａが挿入された状態で折り返し部２０ｐ、２０ｑ、爪部２０ｒ等の各部が折り曲げ加工される。これにより、ボルト保持部２２は、保持板状部２０ｄの折り返し部２０ｑがボルト頭部１０ｂを保持板状部２０ｃとの間に保持すると共に、保持板状部２０ｃの折り返し部２０ｐの爪部２０ｒが保持板状部２０ｄの背面側に屈曲される。つまり、ボルト保持部２２は、一対の保持板状部２０ｃ、２０ｄの積層方向に対して当該保持板状部２０ｃと保持板状部２０ｄとの間にスタッドボルト１０のボルト頭部１０ｂを保持する。
【００２５】
スタッドボルト１０は、保持板状部２０ｃと保持板状部２０ｄとの間に保持された状態で、ボルト挿入孔２０ｊから軸部１０ａが軸方向Ｘに沿って突出するようにして露出している。スタッドボルト１０は、ボルト挿入孔２０ｊから露出した当該軸部１０ａに接続端子５２が電気的に接続される。スタッドボルト１０は、軸部１０ａに締結部材としてのナット５４が螺合することで軸部１０ａに接続端子５２を締結する。上述のボルト保持部２２において、上板を構成する保持板状部２０ｃは、スタッドボルト１０の軸部１０ａにナット５４が螺合することで、ナット５４とスタッドボルト１０のボルト頭部１０ｂとの間に接続端子５２と共に挟持される。
【００２６】
締付部３０は、ポスト挿入孔２０ｆ、２０ｇ内にバッテリーポスト５１が挿入された状態で、一対の環状部２０ａ、２０ｂを当該バッテリーポスト５１に締結するものである。締付部３０は、ボルト３０ａと、ワッシャ３０ｂと、ナット３０ｃとを含んで構成される。ボルト３０ａは、ナット３０ｃが螺合される貫通部材としての軸部３０ｄと、軸部３０ｄの一端に設けられた基部としてのボルト頭部３０ｅ（特に図４参照）とを含んで構成される。軸部３０ｄは、円柱状に形成されると共に外周面に螺合溝が形成されている。ボルト頭部３０ｅは、軸部３０ｄが立設される台座部分である。言い換えれば、ボルト頭部３０ｅは、軸部３０ｄの一方の端部に当該軸部３０ｄと一体で設けられる。ボルト頭部３０ｅは、軸部３０ｄより大径の部分として形成され、ここでは、略矩形板状に形成される。
【００２７】
ボルト３０ａは、軸部３０ｄがスリット（間隙）２０ｈ、２０ｉを横断するような位置関係で、第１幅方向Ｙの屈曲連結部２０ｅの一端部から挿入される。つまり、ボルト３０ａの軸部３０ｄは、屈曲連結部２０ｅを介して上下に積層された状態の一対の環状部２０ａ、２０ｂの間にスリット２０ｈ、２０ｉを横断するように形成される空間部に挿入される。さらに言えば、ボルト３０ａの軸部３０ｄは、第１幅方向Ｙに沿って環状部２０ａ、２０ｂの一端側からスリット２０ｈ、２０ｉを挟んで環状部２０ａ、２０ｂの他端側まで延在して当該環状部２０ａ、２０ｂに配置される。つまりここでは、第１幅方向Ｙは、環状部２０ａ、２０ｂに形成されたスリット２０ｈ、２０ｉを横断する方向に相当し、典型的には、環状部２０ａ、２０ｂをバッテリーポスト５１に締結する際に締付部３０によって環状部２０ａ、２０ｂを締め付ける締付方向に相当する。そして、ボルト３０ａは、軸部３０ｄが上記の位置関係で環状部２０ａ、２０ｂに設けられた状態で、ボルト頭部３０ｅが本体部２０の締付端部２０ｍに形成された切り欠き部２０ｏと嵌合し当該切り欠き部２０ｏ内に収容され位置決めされる。
【００２８】
ワッシャ３０ｂは、略矩形板状に形成されており、本体部２０の締付端部２０ｍに形成された切り欠き部２０ｎと嵌合し当該切り欠き部２０ｎ内に収容され位置決めされる。ワッシャ３０ｂは、切り欠き部２０ｎ内に収容され位置決めされた状態で本体部２０とナット３０ｃとの間に介在する。
【００２９】
ナット３０ｃは、屈曲連結部２０ｅの他端部から露出するボルト３０ａの先端部分、すなわち、軸部３０ｄのボルト頭部３０ｅとは反対側の端部に螺合する。
【００３０】
上記のように構成されるバッテリー端子１は、スタッドボルト１０の軸部１０ａが露出するような位置関係でポスト挿入孔２０ｆ、２０ｇにバッテリーポスト５１が挿入されることで、バッテリーポスト５１に組み付けられる。そして、バッテリー端子１は、ポスト挿入孔２０ｆ、２０ｇの内周面とバッテリーポスト５１の外周面とが接触した状態で締付部３０のボルト３０ａ及びナット３０ｃが締め付けられることで、締付端部２０ｍにおいて、スリット２０ｈ、２０ｉを挟んで屈曲連結部２０ｅ及び環状部２０ａ、２０ｂの両側が接近方向に締め付けられる。
【００３１】
この場合、締付部３０は、ボルト３０ａの軸部３０ｄが上記の位置関係で環状部２０ａ、２０ｂに設けられ、ボルト３０ａのボルト頭部３０ｅ、ワッシャ３０ｂがそれぞれ切り欠き部２０ｎ、２０ｏ内に収容され位置決めされた状態で、ボルト頭部３０ｅ、ワッシャ３０ｂが一対の締付当接部３１を構成する。つまり、ボルト頭部３０ｅは、一対の締付当接部３１の一方を構成し、ワッシャ３０ｂは、一対の締付当接部３１の他方を構成する。締付部３０は、ボルト頭部３０ｅ、ワッシャ３０ｂによって構成される一対の締付当接部３１が締付方向である第１幅方向Ｙに沿ってスリット２０ｈ、２０ｉを挟んで当該第１幅方向Ｙの両側から本体部２０の締付端部２０ｍに当接する。そして、締付部３０は、ナット３０ｃが軸部３０ｄのボルト頭部３０ｅとは反対側の端部に螺合されることで、当該一対の締付当接部３１が第１幅方向Ｙの両側から当該第１幅方向Ｙに沿ってスリット２０ｈ、２０ｉの間隔を縮小する側に本体部２０の当該締付端部２０ｍを締め付ける。
【００３２】
この結果、バッテリー端子１は、ポスト挿入孔２０ｆ、２０ｇの内周面とバッテリーポスト５１の外周面とが接触した状態でポスト挿入孔２０ｆ、２０ｇの径が縮小されることで、締付部３０の締め付け力によってバッテリーポスト５１に締結される。そして、バッテリー端子１は、スタッドボルト１０の軸部１０ａに接続端子５２が電気的に接続され、ナット５４によって固定される。一方、バッテリー端子１は、締付部３０のボルト３０ａ及びナット３０ｃを緩めれば、スリット２０ｈ、２０ｉを挟んで屈曲連結部２０ｅ及び環状部２０ａ、２０ｂの両側が離間方向に緩められる。これにより、バッテリー端子１は、ポスト挿入孔２０ｆ、２０ｇの径が拡大されることで、バッテリーポスト５１から取り外し可能な状態となる。
【００３３】
そして、本実施形態のバッテリー端子１は、図１〜図５に示すように、上記のような締付部３０の構成において、締付当接部３１と切り欠き部２０ｎ、２０ｏとの当接部位に逃げ面４３が形成されることで、適正な締結力の確保を図っている。
【００３４】
具体的には、締付当接部３１と切り欠き部２０ｎ、２０ｏとは、当該締付当接部３１が切り欠き部２０ｎ、２０ｏ内に収容され位置決めされた状態で、第２幅方向Ｚに対して対向する一対の対向面２３、３２を有する。ここで、第２幅方向Ｚは、軸方向Ｘ、及び、第１幅方向Ｙと直交（交差）する対向方向である。対向面２３は、切り欠き部２０ｎ、２０ｏ側に形成される切り欠き部側対向面を構成する。対向面３２は、締付当接部３１側に形成される当接部側対向面を構成する。ここでは、対向面２３と対向面３２とは、締付当接部３１が切り欠き部２０ｎ、２０ｏ内に収容され位置決めされた状態で、第２幅方向Ｚに対して対向面２３が対向面３２のポスト挿入孔２０ｆ、２０ｇ側に位置して対向する。またここでは、一対の対向面２３、３２は、（１）ボルト頭部３０ｅによって構成される締付当接部３１と環状部２０ａとの対向面２３、３２、（２）ボルト頭部３０ｅによって構成される締付当接部３１と環状部２０ｂとの対向面２３、３２、（３）ワッシャ３０ｂによって構成される締付当接部３１と環状部２０ａとの対向面２３、３２、及び、（４）ワッシャ３０ｂによって構成される締付当接部３１と環状部２０ｂとの対向面２３、３２の合計４対が設けられる。各環状部２０ａ、２０ｂに形成される各対向面２３は、それぞれ当該各環状部２０ａ、２０ｂにおいて切り欠き部２０ｎ、２０ｏを形成する端面であって第２幅方向Ｚのポスト挿入孔２０ｆ、２０ｇ側の端面によって形成される。各締付当接部３１に形成される各対向面３２は、それぞれ当該各締付当接部３１における第２幅方向Ｚのポスト挿入孔２０ｆ、２０ｇ側の端面によって構成される。なお、以下の説明では、上記（１）〜（４）の４対の対向面２３、３２は、それぞれ設けられている位置が異なるもののほぼ同様の構成であるので、４対を特に区別せずに共通の説明とする。図５は、４対の対向面２３、３２を共通で図示するべく各構成を模式的に図示している。
【００３５】
本実施形態の対向面２３と対向面３２とは、締付当接部３１が切り欠き部２０ｎ、２０ｏ内に収容され位置決めされた状態で、それぞれ第１幅方向Ｙのスリット２０ｈ、２０ｉ側で相互に当接可能な当接面４０、４１が形成される。ここでは、当接面４０は、対向面２３において軸方向Ｘ、及び、第１幅方向Ｙに沿って形成される。当接面４１は、締付当接部３１が切り欠き部２０ｎ、２０ｏ内に収容され位置決めされた状態で、対向面３２において軸方向Ｘ、及び、第１幅方向Ｙに沿って形成される。そして、当接面４０と当接面４１とは、第２幅方向Ｚに対して互いに対向した状態で、第１幅方向Ｙに沿ってほぼ平行となって相互に当接可能である。
【００３６】
そして、対向面２３と対向面３２とは、少なくとも一方に、他方との間に隙間をあけて逃げ空間部４２を形成する逃げ面４３が形成される。ここでは、逃げ面４３は、対向面２３に形成される。逃げ面４３は、対向面２３において第１幅方向Ｙに対して当接面４０のスリット２０ｈ、２０ｉとは反対側に当該当接面４０と連続して形成される。逃げ面４３は、対向面２３において当接面４０に対して傾斜して交わるテーパ面（傾斜面）として形成される。逃げ面４３は、第１幅方向Ｙに沿って当接面４０との交点から離れるにしたがって第２幅方向Ｚに沿って対向面３２から徐々に離間する傾きのテーパ面として形成される。これにより、逃げ面４３は、対向面３２との間に隙間を形成し、当該隙間の部分に逃げ空間部４２を形成する。対向面３２は、第２幅方向Ｚに対して当該逃げ面４３と対向する面が非当接面４４として形成される。非当接面４４は、対向面３２において第１幅方向Ｙに対して当接面４１のスリット２０ｈ、２０ｉとは反対側に当該当接面４１と連続して形成される。ここでは、非当接面４４は、当該当接面４１と同一平面上の面として形成される。非当接面４４は、典型的には、対向面３２において対向面２３とは当接しない面として形成される。
【００３７】
以上で説明したバッテリー端子１によれば、バッテリーポスト５１が挿入されるポスト挿入孔２０ｆ、２０ｇ、及び、当該ポスト挿入孔２０ｆ、２０ｇと連続するスリット２０ｈ、２０ｉが形成された本体部２０と、バッテリーポスト５１の軸方向Ｘと交差する方向であって、スリット２０ｈ、２０ｉを横断する方向である第１幅方向Ｙに沿ってスリット２０ｈ、２０ｉを挟んで当該第１幅方向Ｙの両側から本体部２０に当接し当該本体部２０を締め付ける一対の締付当接部３１を有する締付部３０とを備える。本体部２０は、第１幅方向Ｙの少なくとも一方の端部に形成され一対の締付当接部３１の一方を収容し位置決めする切り欠き部２０ｎ、２０ｏを有し、締付当接部３１と切り欠き部２０ｎ、２０ｏとは、当該締付当接部３１が切り欠き部２０ｎ、２０ｏ内に収容され位置決めされた状態で、締付当接部３１側の対向面３２と切り欠き部２０ｎ、２０ｏ側の対向面２３とが軸方向Ｘ、及び、第１幅方向Ｙと交差する第２幅方向Ｚに対して対向する。対向面３２と対向面２３とは、当該締付当接部３１が切り欠き部２０ｎ、２０ｏ内に収容され位置決めされた状態で、第２幅方向Ｚに対して対向面２３が対向面３２のポスト挿入孔２０ｆ、２０ｇ側に位置して対向する。そして、対向面３２と対向面２３とは、それぞれ第１幅方向Ｙのスリット２０ｈ、２０ｉ側で相互に当接可能な当接面４０、４１が形成されると共に、少なくとも一方に、第１幅方向Ｙに対して当接面４０、４１のスリット２０ｈ、２０ｉとは反対側で他方との間に隙間をあけて逃げ空間部４２を形成する逃げ面４３が形成される。
【００３８】
したがって、バッテリー端子１は、本体部２０に形成されたポスト挿入孔２０ｆ、２０ｇにバッテリーポスト５１が挿入された状態で、本体部２０が締付部３０の一対の締付当接部３１によってスリット２０ｈ、２０ｉを挟んで第１幅方向Ｙの両側から締め付けられることで、本体部２０をバッテリーポスト５１に対して締結することができる。このとき、バッテリー端子１は、本体部２０に形成された切り欠き部２０ｎ、２０ｏと締付当接部３１との対向面２３、３２において、当接面４０、４１が形成されているので、当該当接面４０、４１によって切り欠き部２０ｎ、２０ｏ内に収容された締付当接部３１を適正に位置決めすることができ、例えば、ボルト３０ａの軸部３０ｄにナット３０ｃを螺合する際の当該軸部３０ｄ周りの回転を当接面４０と当接面４１とが当接することで規制することができる。その上で、バッテリー端子１は、対向面２３、３２において、少なくとも一方に他方との間に隙間をあけて逃げ空間部４２を形成する逃げ面４３が形成されているので、一対の締付当接部３１によって本体部２０の締付端部２０ｍを締め付けた際に、図５中に矢印Ａで示すように、当該本体部２０の締付端部２０ｍがバッテリーポスト５１を抱え込むように締付側に変形しても、図５中に矢印Ｂで示すように、逃げ面４３によって形成された逃げ空間部４２に当該変形した本体部２０の一部を逃がすことができる。この結果、バッテリー端子１は、当該逃げ面４３によって形成された逃げ空間部４２の作用によって当該本体部２０と締付当接部３１とが干渉することを抑制することができるので、本体部２０と締付当接部３１とが干渉することによって一対の締付当接部３１による本体部２０の締め付け力が低下することを抑制することができる。したがって、バッテリー端子１は、バッテリーポスト５１に対する締結力を適正に確保することができる。例えば、バッテリー端子１は、当該逃げ面４３によって形成された逃げ空間部４２が無い場合と比較すると、バッテリーポスト５１に対する締結力を約１０％程度向上することができた。
【００３９】
さらに、以上で説明したバッテリー端子１によれば、締付部３０は、第１幅方向Ｙに沿って、本体部２０の一端部からスリット２０ｈ、２０ｉを挟んで本体部２０の他端部まで延在して本体部２０に設けられる軸部３０ｄを有し、一対の締付当接部３１の一方は、軸部３０ｄの一方の端部に設けられる。したがって、バッテリー端子１は、軸部３０ｄに設けられた締付当接部３１、ここでは、ボルト頭部３０ｅにおいて、逃げ面４３によって形成された逃げ空間部４２の作用によって当該本体部２０とボルト頭部３０ｅとが干渉することを抑制することができ、適正な締結力を確保することができる。
【００４０】
さらに、以上で説明したバッテリー端子１によれば、切り欠き部２０ｎ、２０ｏは、本体部２０の第１幅方向Ｙの両側の端部にそれぞれ形成され、逃げ面４３は、各切り欠き部２０ｎ、２０ｏの対向面２３にそれぞれ形成される。したがって、バッテリー端子１は、締付方向である第１幅方向Ｙの両側で本体部２０と締付当接部３１とが干渉することを抑制することができるので、より確実に適正な締結力を確保することができる。
【００４１】
なお、上述した本発明の実施形態に係るバッテリー端子は、上述した実施形態に限定されず、特許請求の範囲に記載された範囲で種々の変更が可能である。
【００４２】
以上で説明した逃げ面４３は、対向面２３において当接面４０に対して傾斜して交わるテーパ面であるものとして説明したがこれに限らない。図６に示す変形例に係る逃げ面４３Ａは、当接面４０に対する段差面として形成される。また、図７に示す変形例に係る逃げ面４３Ｂは、対向面２３において当接面４０から連続する曲面として形成される。これらの場合でも、逃げ面４３Ａ、４３Ｂは、対向面３２との間に隙間をあけて逃げ空間部４２を形成することができる。そしてこの場合でも、バッテリー端子１は、図６、図７中に矢印Ａで示すように、当該本体部２０の締付端部２０ｍがバッテリーポスト５１を抱え込むように締付側に変形しても、図６、図７中に矢印Ｂで示すように、逃げ面４３Ａ、４３Ｂによって形成された逃げ空間部４２に当該変形した本体部２０の一部を逃がすことができるので適正な締結力を確保することができる。
【００４３】
以上の説明では、逃げ面４３は、対向面２３に形成されるものとして説明したがこれに限らず対向面３２に形成されていてもよいし、対向面２３と対向面３２との両方に形成されていてもよい。また、以上の説明では、逃げ面４３は、合計４対の対向面２３、３２に対してそれぞれ設けられるものとして説明したがこれに限らない。
【００４４】
以上の説明では、本体部２０は、導電性を有する金属板のプレス折り曲げ加工等により、一対の環状部２０ａ、２０ｂ、一対の保持板状部２０ｃ、２０ｄ、及び、屈曲連結部２０ｅが一体で形成されるものとして説明したがこれに限らない。本体部２０は、例えば、屈曲連結部２０ｅを備えず、軸方向Ｘに対して上側分割体（環状部２０ａ、保持板状部２０ｃ）と下側分割体（環状部２０ｂ、保持板状部２０ｄ）との２層分割構造とし、別体に構成される上側分割体と下側分割体とを一体化する構成を有するものであってもよい。
【００４５】
以上で説明した締付部３０は、例えば、ナット又はボルトを相手部材に対して軸方向Ｘに沿って螺合させることで一対の締付当接部による締め付け力を発生させる構成であってもよい。
【符号の説明】
【００４６】
１    バッテリー端子
２０    本体部
２０ｆ、２０ｇ    ポスト挿入孔
２０ｈ、２０ｉ    スリット
２０ｎ、２０ｏ    切り欠き部
２３    対向面（切り欠き部側対向面）
３０    締付部
３０ｂ    ワッシャ（締付当接部）
３０ｄ    軸部（貫通部材）
３０ｅ    ボルト頭部（締付当接部）
３１    締付当接部
３２    対向面（当接部側対向面）
４０、４１    当接面
４２    逃げ空間部
４３、４３Ａ、４３Ｂ    逃げ面
５１    バッテリーポスト
Ｘ    軸方向
Ｙ    第１幅方向（締付方向）
Ｚ    第２幅方向（対向方向）
【図１】
2018045761.tif 000003
【図２】
2018045761.tif 000004
【図３】
2018045761.tif 000005
【図４】
2018045761.tif 000006
【図５】
2018045761.tif 000007
【図６】
2018045761.tif 000008
【図７】
2018045761.tif 000009